【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
内径を有すると共に実質的に平滑な内面を有する中空内腔を画定する円筒形状の鍔と、
外径を有すると共に実質的に平滑な外面を有する円筒形本体を画定するものであり、前記円筒形本体を軸方向に貫通する内部管腔を有する管腔延長先端部であって、前記円筒形本体が前記中空内腔内に軸方向に突き出るように、前記円筒形状の鍔内に同心円状かつ同軸的に配置されている、前記管腔延長先端部と、を含み、
前記円筒形状の鍔の前記内径と前記管腔延長先端部の前記円筒形本体の前記外径の間に画定された空間が、互換性のある継手要素の協働部分のための受け部を形成するように、前記円筒形状の鍔の前記内径が前記管腔延長先端部の前記円筒形本体の前記外径よりも大きくなっており、
前記中空内腔が、前記円筒形状の鍔の実質的に滑らかな内面から前記管腔延長先端部の実質的に滑らかな外面まで、前記互換性のある継手要素の協働部分によって占有され、前記互換性のある継手要素の協働部分の外面が、前記円筒形状の鍔の滑らかな内面の少なくとも一部と係合し、前記互換性のある継手要素の協働部分の内面が、前記管腔延長先端部の滑らかな外面の少なくとも一部と係合するように、前記継手が、互換性のある継手要素の協働部分と係合する、
経腸投与量制御継手。
【請求項２】
前記円筒形状の鍔の一部上に形成された外部継手部材を含む、
請求項１に記載の経腸投与量制御継手。
【請求項３】
前記互換性のある継手要素は、その中に中心的に配置されたハブを含むものであって、それを貫通して延びる内部導管を画定するオス型のＥＮＦｉｔ継手を有する、
請求項１に記載の経腸投与量制御継手。
【請求項４】
前記管腔延長先端部は、約０．００５ｍｌから約０．０３ｍｌの間の収容容積を画定する、
請求項１に記載の経腸投与量制御継手。
【請求項５】
前記管腔延長先端部は、約０．０１ｍｌの収容容積を画定する、
請求項４に記載の経腸投与量制御継手。
【請求項６】
前記管腔延長先端部は、前記円筒形状の鍔と一体的に形成される、
請求項１に記載の経腸投与量制御継手。
【請求項７】
前記管腔延長先端部は、別個の部品であり前記円筒形状の鍔との継手係合するように構成されている、
請求項１に記載の経腸投与量制御継手。
【請求項８】
請求項１に記載の経腸投与量制御継手を備える腸内液体投与装置。
【請求項９】
注射器、経腸液体採取装置、経腸液貯蔵装置、経腸液送達チューブまたは経腸液送達導管から選択される、請求項８に記載の腸内液体投与装置。
【請求項１０】
プランジャを前記注射器筒の内部における後退または前進のために受容することによって、送達された流体を前記注射器筒の収容容積へ又は当該収容容積から移送するように適合された中空円筒形状の筒であって、前記注射器筒の近位端から延びる円筒形状の継手の鍔を有し、前記円筒形状の継手の鍔は、滑らかな内面を有する中空内腔を画定すると共に、前記円筒形状の鍔の外部部分に形成された少なくとも１つの外部継手部材を有する、前記中空円筒形状の筒と、
前記円筒形状の継手の鍔の前記内腔内において軸方向に突出する管腔延長先端部を含む経腸投与量制御継手であって、前記管腔延長先端部は、先端部と、前記先端部から反対方向に延びて前記注射器筒の前記近位端によって画定された表面と係合する基部とを含み、前記管腔延長先端部は、滑らかな内面を有する概略的に細長い円筒状本体であって、前記注射器筒の前記収容容積と流体連通するためにそれを通って延びる内部管腔を画定する前記概略的に細長い円筒状本体を含む、前記経腸投与量制御継手と、
を含む、経腸注射器。
【請求項１１】
前記円筒形状の鍔は、概して、ＩＳＯ  ８０３６９−３規格に準拠して成形され寸法決めされている、
請求項１０に記載の経腸注射器。
【請求項１２】
前記内腔の前記管腔延長先端部は、概略的に、前記注射器筒の前記近位端と一体的に形成されている、
請求項１１に記載の経腸注射器。
【請求項１３】
前記内腔の前記管腔延長先端部は、別個の部品であり、経腸注射器の一部分との取り外し可能な結合係合を提供するように構成されている、
請求項１１に記載の経腸注射器。
【請求項１４】
前記基部は、前記中空円筒形状の筒によって画定される表面と係合するように構成された外周部分を画定する、
請求項１３に記載の経腸注射器。
【請求項１５】
前記中空円筒形状の筒と前記管腔延長先端部の基部との間を密閉するためのシール部材を含む、
請求項１４に記載の経腸注射器。
【請求項１６】
前記基部の外周部分は、前記中空円筒形状の筒内に設けられた係合機構と協働するための１つ以上の係合機構を備える、
請求項１５に記載の経腸注射器。
【請求項１７】
注射器への流体の充填および投与のために前記筒内で軸方向に移動可能なプランジャであって、槍状の先端を有する前方端部を含む細長い本体を備え、前記槍状先端部が、前記管腔延長先端部の内腔内に収容された容積が実質的にゼロであり、そのために、流体供給中の投与の不一致および不正確が完全ではないにしても実質的に排除される、
請求項１０に記載の経腸注射器。
【請求項１８】
経腸注射器と共に使用するための、ＩＳＯ８０３６９−３準拠のオス型ＥＮＦｉｔ継手のハブの内部導管内に適合する嵌合係合のための管腔延長先端部であり、前記経腸注射器は、中空内腔を画定する円筒形状の継手の鍔を含み、前記ハブの前記内部導管は、最大内径を含む、前記管腔延長先端部であって、
基部と先端部の間において前記中空内腔内において軸方向に突出する細長い円筒形本体であって、前記基部は、前記中空内腔によって画定される空間と係合し、前記先端部は、概略的に前記先端部から反対方向に延び、前記先端部は、前記円筒形状の継手の鍔の端部よりも、０．４５ｍｍから０．６５ｍｍだけ下に凹んでおり、前記細長い円筒形本体は、最大外径を有する、前記細長い円筒形本体と、
前記細長い円筒形本体を完全に貫通する内部導管と、を含み、
前記細長い円筒形本体の前記最大外径は、前記ＥＮＦｉｔ継手の前記ハブの前記内部導管の前記最大内径に対して、小さい又は等しい、
管腔延長先端部。
【請求項１９】
流体送達装置であって、
管腔延長先端部であって、滑らかな外面を有する円筒形本体であって、前記円筒形本体を通って延びる流体送達導管を画定する前記円筒形本体を含む、前記管腔延長先端部と、
外部継手鍔の内径と前記管腔延長先端部の外径との間の空間が、互換性のある継手要素の協働部分を受容するための受け部を形成するように、前記互換性のある継手要素と係合するように構成され、滑らかな内面を有し、前記管腔延長先端部の前記滑らかな内面を少なくとも部分的に囲んでいる、前記外部継手鍔と、を含み、
前記互換性のある継手要素の協働部分は、前記流体送達装置と連結されたときに、前記外部継手鍔の前記滑らかな内面と前記管腔延長先端部の前記円筒形本体の前記滑らかな外面との間の前記受け部を全体的に占有する、
流体送達装置。
【請求項２０】
筒と、前記筒内に前進および後退するプランジャとを有し、前記筒内に可変容積の流体貯蔵空間を画定する経腸流体送達注射器であって、前記管腔延長先端部を通って延びる流体送達導管が、前記経腸流体送達注射器の可変容積の流体貯蔵空間と流体連通している、前記経腸流体送達注射器、
を備える請求項１９に記載の流体送達装置。
【請求項２１】
前記適合性のある継手要素は、ＩＳＯ８０３６９−３準拠のＥＮＦｉｔ継手を含み、前記管腔延長先端部および前記外部継手鍔は、前記ＥＮＦｉｔ継手の対応する部分と互換性のある係合のために構成されている、
を備える請求項１９に記載の流体送達装置。
【請求項２２】
前記管腔延長先端部は、前記オス型のＥＮＦｉｔ継手の前記ハブの前記内部導管内で互換性のある結合係合のために、前記円筒形状の鍔内部に、寸法決めされ、成形され、位置決めされている、
を備える請求項３に記載の経腸投与量制御継手。
【請求項２３】
前記円筒形状の鍔と前記円筒形本体の間に画定された空間が、互換性のある継手要素の協働部分によって完全に占有されるように、前記互換性のある継手要素の協働部分が受け部内に収容されている、
請求項１８に記載の管腔延長先端部。